(57)【要約】【課題】申請者が提出した証明写真が小さい場合であっても、重要な部分の画質を劣化させることなく、見映えのよいＩＤカードを作成することができるＩＤカード作成装置及びＩＤカード作成方法を提供する。【解決手段】証明写真を撮影して証明写真画像データを生成する撮影部１１と、当該生成された証明写真画像データから、当該証明写真画像のサイズを検出する証明写真サイズ検出プログラム１５３１を実行したＣＰＵ１５１と、当該検出された証明写真画像のサイズが規定サイズを満たしていない場合に、撮影部１１により生成された証明写真画像データから、当該証明写真画像の縁部付近の伸長領域が伸長された伸長画像データを生成する生成プログラム１５３３を実行したＣＰＵ１５１と、当該生成された伸長画像データに基づく伸長画像がプリントされたＩＤカードを作成する作成部１４と、を備えるよう構成した。【選択図】図１
2007290283.tif 000002
【特許請求の範囲】
【請求項１】
申請者からのＩＤカードの発行申請に従って、当該申請者が提出した証明写真がプリントされたＩＤカードを作成するＩＤカード作成装置において、
前記証明写真を撮影して証明写真画像データを生成する撮影手段と、
前記撮影手段により生成された証明写真画像データから、当該証明写真画像データに基づく証明写真画像のサイズを検出する検出手段と、
前記検出手段により検出された証明写真画像のサイズが規定サイズを満たしていない場合に、当該証明写真画像のサイズが当該規定サイズを満たすように、前記撮影手段により生成された証明写真画像データから、当該証明写真画像の縁部付近の所定領域が伸長された伸長画像データを生成する生成手段と、
前記生成手段により生成された伸長画像データに基づく伸長画像がプリントされたＩＤカードを作成する作成手段と、
を備えることを特徴とするＩＤカード作成装置。
【請求項２】
請求項１に記載のＩＤカード作成装置において、
前記撮影手段により生成された証明写真画像データから、顔領域を検出する顔領域検出手段を備え、
前記所定領域は、前記顔領域検出手段により検出された顔領域よりも、前記証明写真画像の縁部に近い領域であることを特徴とするＩＤカード作成装置。
【請求項３】
請求項１又は２に記載のＩＤカード作成装置において、
前記生成手段は、前記証明写真画像の縁部に近いほど、大きな伸長率で前記所定領域を伸長させることを特徴とするＩＤカード作成装置。
【請求項４】
請求項１〜３の何れか一項に記載のＩＤカード作成装置において、
前記検出手段は、前記撮影手段により生成された証明写真画像データから、当該証明写真画像データに基づく証明写真画像の左右方向及び上下方向の長さを検出し、
前記生成手段は、前記検出手段により検出された証明写真画像の左右方向及び上下方向の長さと、左右方向及び上下方向の規定長さと、をそれぞれ比較し、規定長さを満たしていない方向にのみ、前記所定領域を伸長させることを特徴とするＩＤカード作成装置。
【請求項５】
請求項１に記載のＩＤカード作成装置におけるＩＤカード作成方法において、
前記撮影手段が、前記証明写真を撮影して証明写真画像データを生成する撮影ステップと、
前記検出手段が、前記撮影ステップで生成された証明写真画像データから、当該証明写真画像データに基づく証明写真画像のサイズを検出する検出ステップと、
前記検出ステップで検出された証明写真画像のサイズが規定サイズを満たしていない場合に、前記生成手段が、当該証明写真画像が当該規定サイズを満たすように、前記撮影手段により生成された証明写真画像データから、当該証明写真画像の縁部付近の所定領域が伸長された伸長画像データを生成する生成ステップと、
前記作成手段は、前記生成ステップで生成された伸長画像データに基づく伸長画像がプリントされたＩＤカードを作成する作成ステップと、
を備えることを特徴とするＩＤカード作成方法。
【発明の詳細な説明】
【技術分野】
【０００１】
本発明は、ＩＤカード作成装置及びＩＤカード作成方法に関する。
【背景技術】
【０００２】
従来、申請者からのＩＤカードの発行申請に従って、申請者の証明写真画像がプリントされたＩＤカードを作成するＩＤカード作成装置が知られている。
このようなＩＤカード作成装置は、例えば、申請者を直接撮影して生成した証明写真画像データに基づく証明写真画像をＩＤカードにプリントする場合や、申請者が提出した証明写真を撮影して生成した証明写真画像データに基づく証明写真画像をＩＤカードにプリントする場合などがある（例えば、特許文献１参照）。
【特許文献１】特開２００１−１８０１５９号公報
【発明の開示】
【発明が解決しようとする課題】
【０００３】
しかしながら、申請者が提出した証明写真を撮影して生成した証明写真画像データに基づく証明写真画像をプリントする場合、例えば、図７に示すように、当該提出された証明写真Ｓｚのサイズが規定サイズＲｚよりも小さいと、証明写真画像Ｐｚとともに、証明写真Ｓｚを貼り付けていた台紙（例えば、申請書）の画像ＴｚもＩＤカードＷｚにプリントされてしまって、ＩＤカードの見映えが悪くなってしまうという問題がある。さらに、この問題に伴い、ＩＤカードの再作成といった資源的なロスが生じることとなる。
【０００４】
そこで、証明写真のサイズが規定サイズよりも小さい場合には、当該証明写真の証明写真画像データを全体的に拡大する方法が考えられるが、全体的に拡大すると全体的に画質が劣化してしまうという問題がある。
また、パスポート用の証明写真のように、顔領域の大きさ等が規格化された証明写真もあるが、当該証明写真の証明写真画像データを全体的に拡大すると、顔領域の大きさ等が規格から外れてしまうという問題もある。
【０００５】
本発明の課題は、申請者が提出した証明写真が小さい場合であっても、重要な部分の画質を劣化させることなく、見映えのよいＩＤカードを作成することができるＩＤカード作成装置及びＩＤカード作成方法を提供することにある。
【課題を解決するための手段】
【０００６】
上記課題を解決するために、請求項１に記載の発明は、
申請者からのＩＤカードの発行申請に従って、当該申請者が提出した証明写真がプリントされたＩＤカードを作成するＩＤカード作成装置において、
前記証明写真を撮影して証明写真画像データを生成する撮影手段と、
前記撮影手段により生成された証明写真画像データから、当該証明写真画像データに基づく証明写真画像のサイズを検出する検出手段と、
前記検出手段により検出された証明写真画像のサイズが規定サイズを満たしていない場合に、当該証明写真画像のサイズが当該規定サイズを満たすように、前記撮影手段により生成された証明写真画像データから、当該証明写真画像の縁部付近の所定領域が伸長された伸長画像データを生成する生成手段と、
前記生成手段により生成された伸長画像データに基づく伸長画像がプリントされたＩＤカードを作成する作成手段と、
を備えることを特徴とする。
【０００７】
請求項２に記載の発明は、
請求項１に記載のＩＤカード作成装置において、
前記撮影手段により生成された証明写真画像データから、顔領域を検出する顔領域検出手段を備え、
前記所定領域は、前記顔領域検出手段により検出された顔領域よりも、前記証明写真画像の縁部に近い領域であることを特徴とする。
【０００８】
請求項３に記載の発明は、
請求項１又は２に記載のＩＤカード作成装置において、
前記生成手段は、前記証明写真画像の縁部に近いほど、大きな伸長率で前記所定領域を伸長させることを特徴とする。
【０００９】
請求項４に記載の発明は、
請求項１〜３の何れか一項に記載のＩＤカード作成装置において、
前記検出手段は、前記撮影手段により生成された証明写真画像データから、当該証明写真画像データに基づく証明写真画像の左右方向及び上下方向の長さを検出し、
前記生成手段は、前記検出手段により検出された証明写真画像の左右方向及び上下方向の長さと、左右方向及び上下方向の規定長さと、をそれぞれ比較し、規定長さを満たしていない方向にのみ、前記所定領域を伸長させることを特徴とする。
【００１０】
請求項５に記載の発明は、
請求項１に記載のＩＤカード作成装置におけるＩＤカード作成方法において、
前記撮影手段が、前記証明写真を撮影して証明写真画像データを生成する撮影ステップと、
前記検出手段が、前記撮影ステップで生成された証明写真画像データから、当該証明写真画像データに基づく証明写真画像のサイズを検出する検出ステップと、
前記検出ステップで検出された証明写真画像のサイズが規定サイズを満たしていない場合に、前記生成手段が、当該証明写真画像が当該規定サイズを満たすように、前記撮影手段により生成された証明写真画像データから、当該証明写真画像の縁部付近の所定領域が伸長された伸長画像データを生成する生成ステップと、
前記作成手段は、前記生成ステップで生成された伸長画像データに基づく伸長画像がプリントされたＩＤカードを作成する作成ステップと、
を備えることを特徴とする。
【発明の効果】
【００１１】
請求項１及び５に記載の発明によれば、証明写真画像のサイズが規定サイズを満たしていない場合に、当該証明写真画像のサイズが当該規定サイズを満たすように、撮影手段により生成された証明写真画像データから、当該証明写真画像の縁部付近の所定領域が伸長された伸長画像データを生成することができる。
すなわち、重要な部分である証明写真画像の中央付近の領域は伸長されないため、申請者が提出した証明写真が小さい場合であっても、重要な部分の画質を劣化させることなく、見映えのよいＩＤカードを作成することができる。
【００１２】
請求項２に記載の発明によれば、請求項１に記載の発明と同様の効果が得られることは無論のこと、所定領域は、顔領域検出手段により検出された顔領域よりも、証明写真画像の縁部に近い領域である。
すなわち、最も重要な部分である証明写真画像の顔領域は伸長されないため、より一層、重要な部分の画質を劣化させることなく、見映えのよいＩＤカードを作成することができる。
【００１３】
請求項３に記載の発明によれば、請求項１又は２に記載の発明と同様の効果が得られることは無論のこと、証明写真画像の縁部に近いほど、大きな伸長率で所定領域を伸長させることができる。
すなわち、伸長されない領域に近いほど、所定領域の伸長率が小さいため、所定領域が伸長されても、伸長されない領域と伸長される所定領域との境界部分の違和感を抑えることができる。
【００１４】
請求項４に記載の発明によれば、請求項１〜３の何れか一項に記載の発明と同様の効果が得られることは無論のこと、証明写真画像の左右方向及び上下方向の長さと、左右方向及び上下方向の規定長さと、をそれぞれ比較し、規定長さを満たしていない方向にのみ、所定領域を伸長させることができる。
すなわち、伸長させる必要のない方向には所定領域は伸長されないため、証明写真画像により近い伸長画像を得ることができる。
【発明を実施するための最良の形態】
【００１５】
以下、図を参照して、本発明にかかるＩＤカード作成装置及びＩＤカード作成方法の最良の形態を詳細に説明する。なお、本発明の範囲は、図示例に限定されない。
【００１６】
＜ＩＤカード作成装置＞
まず、ＩＤカード作成装置１の構成について、図１を参照して説明する。
ＩＤカード作成装置１は、例えば、申請者からのＩＤカードの発行申請に従って、当該申請者が提出した証明写真がプリントされたＩＤカードを作成する。
具体的には、ＩＤカード作成装置１は、例えば、図１に示すように、撮影部１１と、入力部１２と、表示部１３と、作成部１４と、制御部１５と、などを備えて構成される。
【００１７】
ここで、申請者は、例えば、申請者の証明写真が貼付され、申請者のＩＤ番号や個人情報（住所、氏名、国籍・本籍、生年月日など）などが記入された申請書を提出することによって、ＩＤカードの発行申請を行う。
【００１８】
撮影部１１は、例えば、撮影手段として、証明写真を撮影して証明写真画像データを生成する。
なお、申請者が提出した証明写真のサイズが、規定サイズＲよりも小さい場合には、撮影部１１は、当該証明写真とともに、当該証明写真を貼り付けていた申請書も撮影してしまう。したがって、この場合、撮影部１１により生成された証明写真画像データに基づく画像には、例えば、図２に示すように、証明写真画像Ｐとともに、申請書の画像Ｔが含まれることになる。
【００１９】
入力部１２は、例えば、カーソルキー、文字／数字キー、各種機能キーなどから構成され、オペレータのキー操作に伴う押下信号を制御部１５に出力する。また、入力部１２は、必要に応じてマウスやタッチパネルなどのポインティングデバイスや、バーコードリーダ、ノートパッド、スキャナ、ＯＣＲ装置など、その他の入力装置を備えるものとしてもよい。
具体的には、入力部１２は、例えば、オペレータが申請書に記入されたＩＤ番号や個人情報を入力する際等に使用される。
【００２０】
表示部１３は、例えば、ＬＣＤ（Liquid Crystal Display）パネルなどから構成され、制御部１５から入力される表示信号に従って所与の表示処理を行う。
【００２１】
作成部１４は、例えば、作成手段として、制御部１５から入力される制御信号に従って、生成プログラム１５３３を実行したＣＰＵ１５１により生成された伸長画像データに基づく伸長画像Ｑ等がプリントされたＩＤカードＷ（例えば、図５）を作成する。
具体的には、作成部１４は、例えば、伸長画像Ｑや、オペレータによる入力部１２の操作により入力されたＩＤ番号や個人情報、サーバ装置（図示省略）等に記憶されたＩＤ番号や個人情報などがプリントされたＩＤカードＷを作成する。
【００２２】
制御部１５は、例えば、図２に示すように、ＣＰＵ（Central Processing Unit）１５１、ＲＡＭ（Random Access Memory）１５２、ＲＯＭ（Read Only Memory）１５３などを備えている。
【００２３】
ＣＰＵ１５１は、ＲＯＭ１５３に記憶されたＩＤカード作成装置１用の各種処理プログラムに従って各種の制御動作を行う。
【００２４】
ＲＡＭ１５２は、ＣＰＵ１５１によって実行される処理プログラムなどを展開するためのプログラム格納領域や、入力データや上記処理プログラムが実行される際に生じる処理結果などを格納するデータ格納領域などを備える。
【００２５】
ＲＯＭ１５３は、ＩＤカード作成装置１で実行可能なシステムプログラム、当該システムプログラムで実行可能な各種処理プログラム、これら各種処理プログラムを実行する際に使用されるデータ、ＣＰＵ１５１によって演算処理された処理結果のデータなどを記憶する。なお、プログラムは、コンピュータが読み取り可能なプログラムコードの形でＲＯＭ１５３に記憶されている。
具体的には、ＲＯＭ１５３は、例えば、図１に示すように、証明写真サイズ検出プログラム１５３１と、顔領域検出プログラム１５３２と、生成プログラム１５３３と、などを記憶している。
【００２６】
証明写真サイズ検出プログラム１５３１は、例えば、撮影部１１により生成された証明写真画像データから、当該証明写真画像データに基づく証明写真画像Ｐのサイズを検出する機能を、ＣＰＵ１５１に実現させる。
具体的には、ＣＰＵ１５１は、例えば、撮影部１１により生成された証明写真画像データから、当該証明写真画像データに基づく証明写真画像Ｐの左右方向の長さ及び上下方向の長さを検出する。
なお、証明写真画像Ｐのサイズの検出方法としては、例えば、撮影部１１により生成された証明写真画像データを基に、８ビット（０〜２５５階調）の赤色の濃淡情報からなる赤色画像データを生成し、証明写真画像Ｐの縁部Ｐａの濃淡情報と、証明写真画像Ｐのその他の部位及び申請書の画像Ｔの濃淡情報とが概ね異なることを利用して、濃度分布ヒストグラムの極大値の濃度が薄い側の峰の極小値を閾値として、それ以上の濃度の領域を証明写真画像Ｐの縁部Ｐａとして検出する等の公知の方法を適用することができる。
ＣＰＵ１５１は、かかる証明写真サイズ検出プログラム１５３１を実行することによって、検出手段として機能する。
【００２７】
顔領域検出プログラム１５３２は、例えば、撮影部１１により生成された証明写真画像データから、顔領域Ａを検出する機能を、ＣＰＵ１５１に実現させる。
ここで、顔領域Ａとは、例えば、図３に示すように、頭髪及び顔を含む領域のことである。
なお、顔領域Ａの検出方法としては、例えば、色成分の濃度差や顔の形状モデルに基づいて顔領域Ａを検出したり、或いは、クロマキー処理により顔領域Ａを検出する等の公知の方法を適用することができる。
ＣＰＵ１５１は、かかる顔領域検出プログラム１５３２を実行することによって、顔領域検出手段として機能する。
【００２８】
生成プログラム１５３３は、例えば、証明写真サイズ検出プログラム１５３１を実行したＣＰＵ１５１により検出された証明写真画像Ｐのサイズが規定サイズＲを満たしていない場合に、証明写真画像Ｐのサイズが規定サイズＲを満たすように、撮影部１１により生成された証明写真画像データから、証明写真画像Ｐの縁部Ｐａ付近の縁部Ｐａよりも内側にある所定領域としての伸長領域Ｂが伸長された伸長画像データを生成する機能を、ＣＰＵ１５１に実現させる。
ここで、所定領域としての伸長領域Ｂとは、例えば、図３に示す斜線部分のように、顔領域検出プログラム１５３２を実行したＣＰＵ１５１により検出された顔領域Ａよりも、証明写真画像Ｐの縁部Ｐａに近い領域のことである。
【００２９】
具体的には、ＣＰＵ１５１は、証明写真サイズ検出プログラム１５３１を実行したＣＰＵ１５１により検出された証明写真画像Ｐの左右方向の長さ及び上下方向の長さと、左右方向の規定長さＲ１及び上下方向の規定長さＲ２と、をそれぞれ比較し、規定長さを満たしていない方向にのみ、伸長領域Ｂを伸長させる。
より具体的には、例えば、図４（ａ）に示す証明写真画像Ｐにおいては、上下方向の長さは上下方向の規定長さＲ２を満たしているものの、左右方向の長さが、左右方向の規定長さＲ１を満たしていないので、ＣＰＵ１５１は、顔領域Ａの左右方向にある伸長領域Ｂを伸長させて、図４（ｂ）に示す伸長画像Ｑの伸長画像データを生成する。そして、当該生成された伸長画像データは、作成部１４により、例えば、図５に示すようなＩＤカードＷを作成するために使用される。
【００３０】
なお、ＣＰＵ１５１は、例えば、証明写真画像Ｐの縁部Ｐａに近いほど、大きな伸長率で伸長領域Ｂを伸長させるようになっている。
すなわち、例えば、顔領域Ａ近傍の伸長率をほぼ０％とし、そして、証明写真画像Ｐの縁部Ｐａに近づくに従って伸長率が増加するように、ＣＰＵ１５１は、伸長領域Ｂを伸長させるようになっている。
ＣＰＵ１５１は、かかる生成プログラム１５３３を実行することによって、生成手段として機能する。
【００３１】
＜ＩＤカード作成方法＞
次に、ＩＤカード作成装置１によるＩＤカード作成方法について、図５のフローチャートを参照して説明する。
ここで、実線で囲んだ処理は、ＩＤカード作成装置１が実行する処理であり、破線で囲んだ処理は、ＩＤカード作成装置１のオペレータが実行する処理である。
【００３２】
まず、ＩＤカード作成装置１のオペレータが、申請者からの申請書の提出によって、ＩＤカードの発行申請を受け付けて（ステップＳ１１）、オペレータによる入力部１２の操作によって、当該申請書に記入された申請書のＩＤ番号や個人情報などが入力され、撮影部１１が、当該申請書に貼付された証明写真を撮影して証明写真画像データを生成すると（ステップＳ１２）、ＣＰＵ１５１は、証明写真サイズ検出プログラム１５３１を実行して、ステップＳ１２で生成された証明写真画像データから、当該証明写真画像データに基づく証明写真画像Ｐのサイズを検出する（ステップＳ１３）。
【００３３】
次いで、ＣＰＵ１５１は、ステップＳ１３で検出された証明写真画像Ｐのサイズが、規定サイズＲを満たすか否かを判断する（ステップＳ１４）。
【００３４】
ステップＳ１４で、証明写真画像Ｐのサイズが規定サイズＲを満たさないと判断すると（ステップＳ１４；Ｎｏ）、ＣＰＵ１５１は、顔領域検出プログラム１５３２を実行して、ステップＳ１２で生成された証明写真画像データから、顔領域Ａを検出する（ステップＳ１５）。
【００３５】
次いで、ＣＰＵ１５１は、生成プログラム１５３３を実行して、ステップＳ１２で生成された証明写真画像データから、伸長領域Ｂが伸長された伸長画像データを生成する（ステップＳ１６）。
【００３６】
次いで、ＣＰＵ１５１は、作成部１４に、ステップＳ１６で生成された伸長画像データに基づく伸長画像Ｑと、ステップＳ１２で入力されたＩＤ番号や個人情報と、などがプリントされたＩＤカードＷを作成させて（ステップＳ１７）、本処理を終了する。
【００３７】
また、ステップＳ１４で、証明写真画像Ｐのサイズが規定サイズＲを満たすと判断すると（ステップＳ１４；Ｙｅｓ）、ＣＰＵ１５１は、ステップＳ１２で生成された証明写真画像データに基づく証明写真画像Ｐと、ステップＳ１２で入力されたＩＤ番号や個人情報と、などがプリントされたＩＤカードＷを作成させて（ステップＳ１７）、本処理を終了する。
【００３８】
以上説明した本発明のＩＤカード作成装置１によれば、申請者からのＩＤカードＷの発行申請に従って、当該申請者が提出した証明写真がプリントされたＩＤカードＷを作成することができ、撮影部１１によって、証明写真を撮影して証明写真画像データを生成することができ、証明写真サイズ検出プログラム１５３１を実行したＣＰＵ１５１によって、撮影部１１により生成された証明写真画像データから、当該証明写真画像データに基づく証明写真画像Ｐのサイズを検出することができ、顔領域検出プログラム１５３２を実行したＣＰＵ１５１によって、撮影部１１により生成された証明写真画像データから、顔領域Ａを検出することができ、生成プログラム１５３３を実行したＣＰＵ１５１によって、証明写真サイズ検出プログラム１５３１を実行したＣＰＵ１５１により検出された証明写真画像Ｐのサイズが規定サイズＲを満たしていない場合に、証明写真画像Ｐのサイズが規定サイズＲを満たすように、撮影部１１により生成された証明写真画像データから、証明写真画像Ｐの縁部Ｐａ付近の、顔領域検出プログラム１５３２を実行したＣＰＵ１５１により検出された顔領域Ａよりも、証明写真画像Ｐの縁部Ｐａに近い領域である伸長領域Ｂが伸長された伸長画像データを生成することができ、作成部１４によって、生成プログラム１５３３を実行したＣＰＵ１５１により生成された伸長画像データに基づく伸長画像ＱがプリントされたＩＤカードＷを作成することができる。
すなわち、最も重要な部分である証明写真画像Ｐの顔領域Ａは伸長されないため、申請者が提出した証明写真が小さい場合であっても、重要な部分の画質を劣化させることなく、見映えのよいＩＤカードＷを作成することができる。
【００３９】
また、生成プログラム１５３３を実行したＣＰＵ１５１は、証明写真画像Ｐの縁部Ｐａに近いほど、大きな伸長率で伸長領域Ｂを伸長させることができる。
すなわち、伸長されない領域に近いほど、伸長領域Ｂの伸長率が小さいため、伸長領域Ｂが伸長されても、伸長されない領域と伸長される伸長領域Ｂとの境界部分の違和感を抑えることができる。
【００４０】
また、証明写真サイズ検出プログラム１５３１を実行したＣＰＵ１５１は、撮影部１１により生成された証明写真画像データから、証明写真画像データに基づく証明写真画像Ｐの左右方向の長さ及び上下方向の長さを検出し、生成プログラム１５３３を実行したＣＰＵ１５１は、証明写真サイズ検出プログラム１５３１を実行したＣＰＵ１５１により検出された証明写真画像Ｐの左右方向の長さ及び上下方向の長さと、左右方向の規定長さＲ１及び上下方向の規定長さＲ２と、をそれぞれ比較し、規定長さを満たしていない方向にのみ、伸長領域Ｂを伸長させることができる。
すなわち、伸長させる必要のない方向には伸長領域Ｂは伸長されないため、証明写真画像Ｐにより近い伸長画像Ｑを得ることができる。
【００４１】
なお、本発明は、上記した実施の形態のものに限るものではなく、その要旨を逸脱しない範囲で適宜変更可能である。
本実施の形態では、顔領域Ａの検出が成功することを前提に説明したが、顔領域Ａの検出に失敗した場合は、例えば、撮影部１１により生成された証明写真画像データから、予め設定された領域が伸長された伸長画像データを生成するようにするとよい。
ここで、予め設定された領域とは、例えば、証明写真画像Ｐの縁部Ｐａ付近の縁部Ｐａよりも内側にある領域であり、一般的な顔領域Ａにかからない範囲内の領域である。
予め設定された領域においては、例えば、証明写真画像Ｐの左右方向にある当該領域の幅は、それぞれ証明写真画像Ｐの左右方向の長さの１０％と設定され、証明写真画像Ｐの上下方向にある当該領域の幅は、それぞれ証明写真画像Ｐの上下方向の長さの１０％と設定されている。
【００４２】
証明写真画像Ｐや、規定サイズＲ、申請書の画像Ｔ、伸長される伸長領域Ｂなど（すなわち、例えば、図４（ａ）の画像）を表示部１３に表示し、オペレータによる入力部１２の操作により了承を得た場合にのみ、伸長領域Ｂを伸長した伸長画像データを生成するようにしてもよい。
この場合、伸長領域Ｂの判定に誤りがないか否かを、オペレータに確認させることができるため、ミスを防止することができる。
そして、了承が得られない場合は、例えば、下記の方法（方法１〜４）等によって、オペレータによる入力部１２の操作により、伸長する領域又は伸長しない領域を設定させ、それに基づいて、証明写真画像データから伸長画像データを生成するようにしてもよい。
【００４３】
[方法１]
伸長する領域又は伸長しない領域を、予め設定した複数の領域パターンから選択可能にする。
具体的には、例えば、表示部１３に表示された証明写真画像Ｐに、当該領域パターンを重ね合わせて表示するようにしておいて、オペレータによる入力部１２の操作によりどのパターンがよいか選択させる。
この場合、領域を修正する手間が省ける。
【００４４】
[方法２]
伸長する領域又は伸長しない領域を、任意に設定可能にする。
具体的には、例えば、表示部１３に表示された証明写真画像Ｐに、当該領域を重ね合わせて表示するようにしておいて、オペレータによる入力部１２の操作により、当該領域の縦横を個々に拡大縮小調整可能にする。
この場合、縦横比が固定でないので、申請書の画像Ｔがプリントされないように、当該領域を任意に設定することができる。
【００４５】
[方法３]
伸長する領域又は伸長しない領域を、縦横比固定で変倍可能にする。
具体的には、例えば、表示部１３に表示された証明写真画像Ｐに、当該領域を重ね合わせて表示するようにしておいて、オペレータによる入力部１２の操作により、当該領域を拡大縮小調整可能にする。
この場合、縦横比をプリント時の比に固定しておくと、ＩＤカードＷにプリントされる領域が正確に反映される。
【００４６】
[方法４]
一定の大きさの伸長しない領域の中心を、任意位置に移動可能にする。
具体的には、例えば、表示部１３に表示された証明写真画像Ｐに、当該領域を重ね合わせて表示するようにしておいて、オペレータによる入力部１２の操作により、当該領域の位置を移動可能にする。
【図面の簡単な説明】
【００４７】
【図１】本発明にかかるＩＤカード作成装置の機能的構成を示すブロック図である。
【図２】証明写真画像データに基づく証明写真画像を説明するための図である。
【図３】顔領域と伸長領域を説明するための図である。
【図４】伸長画像データの生成方法を説明するための図である。
【図５】伸長画像がプリントされたＩＤカードを示す図である。
【図６】本発明にかかるＩＤカード作成装置によるＩＤカード作成方法を説明するためのフローチャートである。
【図７】従来のＩＤカードを説明するための図である。
【符号の説明】
【００４８】
１  ＩＤカード作成装置
１１  撮影部（撮影手段）
１５１  ＣＰＵ（検出手段、生成手段、顔領域検出手段）
１５３１  証明写真サイズ検出プログラム（検出手段）
１５３２  顔領域検出プログラム（顔領域検出手段）
１５３３  生成プログラム（生成手段）
Ａ  顔領域
Ｂ  伸長領域（所定領域）
Ｐ  証明写真画像
Ｐａ  縁部
Ｑ  伸長画像
Ｒ  規定サイズ
Ｒ１  左右方向の規定長さ
Ｒ２  上下方向の規定長さ
Ｗ  ＩＤカード
【図１】
2007290283.tif 000003
【図２】
2007290283.tif 000004
【図３】
2007290283.tif 000005
【図４】
2007290283.tif 000006
【図５】
2007290283.tif 000007
【図６】
2007290283.tif 000008
【図７】
2007290283.tif 000009